(57)【要約】      （修正有）【課題】ディスクにラベル等を貼った際に温度により反りが生じたときに、このディスクの反りを抑制できて、スムーズな再生を行なえる。【解決手段】クランパ４の本体部５にディスク２の反りを抑制する一方のローラ６を配置しターンテーブル３の駆動モータ７を支持するピックアップ本体８上面に他方のローラ９を突起軸１０上に配置し駆動モータ１１で駆動するギヤ群１２のピニオン１３に噛み合うラック１４を設けたガイド板状体１５に穿設した上下向きの溝部１５ａにピックアップ本体から突設した移動軸１６を嵌め込み、ディスクをディスクトレイ１上にセットし、ラックを一方側に移動し移動溝に嵌め込んだ移動軸１６を上向きに移動し、ピックアップ本体８上の突起軸１０上の他方のローラ９が上向きに移動して他方のローラ９と一方のローラ６の間の溝部にディスク２の周縁が回転可能状態で挟まれてディスク２の反りを制する。【選択図】図１
2005327356.tif 000002
【特許請求の範囲】
【請求項１】
ディスクトレーの上側に置かれたディスクが、ターンテーブルとクランパに挟まれた状態でセットされた際に、ディスクにラベル等を貼り付けた状態にあるときに、ディスクとラベル等の温度の収縮率の違いによって生じる反りを防止するようにしたディスク装置におけるディスクの反り抑制構造において、前記クランパの本体部における前記ディスクの周縁と対向する箇所にディスクの反りを抑制するための一方のローラが配置され、前記ターンテーブルの駆動モータを支持するピックアップ本体の上面の前記ディスクの周縁と対向する箇所に他方のローラが突起軸上に配置されており、他の駆動モーターで駆動されるギヤ群のピニオンに噛み合うラックを長手方向に設けたガイド板状体に穿設された斜め上下向きの溝部に、前記ピックアップ本体から突設された移動軸が嵌め込まれていて、前記ディスクがディスクトレイ上にセットされたときに、前記ラックが一方側に移動されて、移動溝に嵌め込まれた移動軸が斜め上向きに移動されることによって、前記ピックアップ本体上の突起軸上の他方のローラが斜め上向きに移動されて、この他方のローラと前記一方のローラの間の溝部に前記ディスクの周縁が回転可能状態で挟まれることによって、前記ディスクの反りをこれらのローラの周溝で抑制するように構成したことを特徴とするディスク装置におけるディスクの反り抑制構造。
【請求項２】
ディスクトレーの上側に置かれたディスクが、ターンテーブルとクランパに挟まれた状態でセットされた際に、ディスクにラベル等を貼り付けた状態にあるときに、ディスクとラベル等の温度の収縮率の違いによって生じる反りを防止するようにしたディスク装置におけるディスクの反り抑制構造において、前記ディスクの周縁の近接位置に周溝を有するローラが配設されていて、このローラで前記ディスクの反りを抑制するように構成したことを特徴とするディスク装置におけるディスクの反り抑制構造。
【請求項３】
前記ローラは、ほぼ中央部を回転可能に枢着された板状体の先端に取付けられており、この板状体の下端は、ガイド板状体に穿設された斜め上下向きの溝部に、その軸部が移動可能に嵌め入れられ、このガイド板状体には、駆動モータで駆動されるギヤ群のピニオンに噛み合うラックが長手方向に設けられていて、このガイド板状体の水平向きの移動によって、前記上下向きの溝部に沿って前記板状体の下端の軸部が斜め上向きに回動し、この板状体の回動でこの板状体の先端のローラの周溝が前記ディスクの周縁に回転可能に嵌め合わされることによって、前記ディスクの反りを抑制するようにした請求項２に記載のディスク装置におけるディスクの反り抑制構造。
【発明の詳細な説明】
【技術分野】
【０００１】
本発明は、ディスクトレーの上側に置かれたディスクが、ターンテーブルとクランパに挟まれた状態でセットされた際に、ディスクにラベル等を貼り付けた状態にあるときに、ディスクとラベル等の温度の収縮率の違いによって生じる反りを防止するようにしたディスク装置におけるディスクの反り抑制構造にディスク装置におけるディスクの反り抑制構造に関するものである。
【背景技術】
【０００２】
従来、図５に示すように、ディスク装置のディスクトレー１０１上にセットされターンテーブル１０２で回転されディスク１０３にラベル等を貼り付けると、温度の収縮率の違いによって、ディスク１０３に反りが生じるという問題があった。
【０００３】
第１の従来技術を図６（ａ）（ｂ）に示す。この従来の光ディスククランパ機構は、図６（ａ）（ｂ）に示すように、光ディスク２０１が搭載されるターンテーブル２０４と、ターンテーブル２０４を回転させるスピンドルモータ２０５と、光ディスク２０１をターンテーブル２０４にクランプさせるクランプ部材２０２とを備え、光ディスク２０１のそりを矯正する段差部２０４ａを設けたものである。（例えば、特許文献１参照）。
【０００４】
ところが、これにおいては、チャッキング機構を用いたものではなく、手で押さえてチャッキングするタイプのものであり、完全に外周の反りはとれないという問題があった。
【０００５】
第２の従来技術を図７に示す。この従来の光ディスク装置は、図７に示すように、光ディスク３１３が載置されるターンテーブル３１２と、ターンテーブル上に載置された光ディスクを上方からターンテーブル表面に対して押圧するチャックと、このターンテーブルを回転駆動するスピンドルモータ３１１と、このスピンドルモータを回転駆動する駆動制御装置と、スピンドルモータを支持するメカデッキ３１５と、光ディスクの半径方向に移動可能にメカデッキに支持され、光ディスクの信号記録面への情報信号の記録または再生を行なう光ピックアップ３１４と、を備えている、光ディスク装置３１０において、ターンテーブルに載置された光ディスクの表面に当接して光ディスクのラジアルスキューを低減させる平坦なディスクスタビライザー３１６が備えられるように、光ディスク装置３１０を構成する。（例えば、特許文献２参照）。
【０００６】
ところが、これにおいては、光ディスク３１３の上面にディスクスタビライザー３１６が被せられているので、荷重が大きくなり、光ディスクを回転させる駆動モータの負荷が大きくなるという問題があった。
【特許文献１】特開平１０−１２４９６７号公報
【特許文献２】特開平８−１６７２７２号公報
【発明の開示】
【発明が解決しようとする課題】
【０００７】
本発明は、上記従来の問題に鑑みてなされたものであって、ディスクにラベル等を貼った際に温度により反りが生じたときに、このディスクの反りを抑制することができて、スムーズな再生を行なうことができるディスク装置におけるディスクの反り抑制構造を提供することを目的としている。
【課題を解決するための手段】
【０００８】
本発明は、上記課題を解決するために提案されたものであって、請求項１に記載の発明は、ディスクトレーの上側に置かれたディスクが、ターンテーブルとクランパに挟まれた状態でセットされた際に、ディスクにラベル等を貼り付けた状態にあるときに、ディスクとラベル等の温度の収縮率の違いによって生じる反りを防止するようにしたディスク装置におけるディスクの反り抑制構造において、前記クランパの本体部における前記ディスクの周縁と対向する箇所にディスクの反りを抑制するための一方のローラが配置され、前記ターンテーブルの駆動モータを支持するピックアップ本体の上面の前記ディスクの周縁と対向する箇所に他方のローラが突起軸上に配置されており、他の駆動モーターで駆動されるギヤ群のピニオンに噛み合うラックを長手方向に設けたガイド板状体に穿設された斜め上下向きの溝部に、前記ピックアップ本体から突設された移動軸が嵌め込まれていて、前記ディスクがディスクトレイ上にセットされたときに、前記ラックが一方側に移動されて、移動溝に嵌め込まれた移動軸が斜め上向きに移動されることによって、前記ピックアップ本体上の突起軸上の他方のローラが斜め上向きに移動されて、この他方のローラと前記一方のローラの間の溝部に前記ディスクの周縁が回転可能状態で挟まれることによって、前記ディスクの反りをこれらのローラの周溝で抑制するように構成したことを特徴としている。
【０００９】
請求項２に記載の発明は、ディスクトレーの上側に置かれたディスクが、ターンテーブルとクランパに挟まれた状態でセットされた際に、ディスクにラベル等を貼り付けた状態にあるときに、ディスクとラベル等の温度の収縮率の違いによって生じる反りを防止するようにしたディスク装置におけるディスクの反り抑制構造において、前記ディスクの周縁の近接位置に周溝を有するローラが配設されていて、このローラで前記ディスクの反りを抑制するように構成したことを特徴としている。
【００１０】
請求項３に記載の発明は、前記ローラは、ほぼ中央部を回転可能に枢着された板状体の先端に取付けられており、この板状体の下端は、ガイド板状体に穿設された斜め上下向きの溝部に、その軸部が移動可能に嵌め入れられ、このガイド板状体には、駆動モータで駆動されるギヤ群のピニオンに噛み合うラックが長手方向に設けられていて、このガイド板状体の水平向きの移動によって、前記上下向きの溝部に沿って前記板状体の下端の軸部が斜め上向きに回動し、この板状体の回動でこの板状体の先端のローラの周溝が前記ディスクの周縁に回転可能に嵌め合わされることによって、前記ディスクの反りを抑制するようにした。
【発明の効果】
【００１１】
請求項１に記載の発明によれば、ディスクトレーの上側に置かれターンテーブルとクランパで回転可能に保持されるディスクにラベル等を貼り付けた状態である場合でも、クランパの本体部に配置された一方側のローラとピックアップ本体の突起軸上の他方のローラとの間でディスクを回転可能状態で挟むことによって、ディスクにラベル等を貼った際に温度により反りが生じたときに、このディスクの反りを抑制することができて、スムーズな再生を行なうことができる。
【００１２】
請求項２に記載の発明によれば、ディスクトレーの上側に置かれターンテーブルとクランパで回転可能に保持されるディスクにラベル等を貼り付けた状態である場合でも、ローラをディスクの周縁の近接位置に位置させてこのローラの周溝にディスクを回転可能に入り込ますことによって、ディスクにラベル等を貼った際に温度により反りが生じたときに、このディスクの反りを抑制することができて、スムーズな再生を行なうことができる。
【００１３】
請求項３に記載の発明によれば、板状体の先端のローラがガイド板状体の斜め斜め上下向きの溝部に沿って斜め上向きに回動して、このローラの周溝がディスクの周縁に回転可能に嵌め合わされるので、ディスクにラベル等を貼った際に温度により反りが生じたときに、このディスクの反りを抑制することができて、スムーズな再生を行なうことができる。
【発明を実施するための最良の形態】
【００１４】
以下、本発明に係るディスク装置におけるディスク反り抑制構造の実施の形態について、図を参照しつつ説明する。
【００１５】
図１は、本発明の第１実施形態のディスク装置におけるディスクの反り抑制構造を示し、（ａ）はそのディスクの反りを抑制している状態を示す概略断面正面図、（ｂ）はそのローラ移動機構の概略側面図、図２は同装置のディスク２の反り抑制を解除した状態の概略断面正面図である。
【００１６】
この第１実施形態のディスク装置におけるディスクの反り抑制構造は、図１（ａ）に示すように、ディスクトレー１の上側に置かれたディスク２が、ターンテーブル３とクランパ４に挟まれた状態でセットされている。ディスク２にラベル（図示略）等を貼り付けた状態にあるときに、ディスク２とラベル等の温度の収縮率の違いによって生じる反りを防止するようにする。
【００１７】
クランパ４の本体部５におけるディスク２の周縁と対向する箇所にディスク２の反りを抑制するための一方のローラ６が配置されている。ターンテーブル３の駆動モータ７を支持するピックアップ本体８の上面のディスク２の周縁と対向する箇所に他方のローラ９が突起軸１０上に配置されいる。更に、図１（ｂ）に示すように、他の駆動モータ１１で駆動されるギヤ群１２のピニオン１３に噛み合うラック１４を長手方向に設けたガイド板状体１５に穿設された斜め上下向きの溝部１５ａに、ピックアップ本体８から突設された移動軸１６が嵌め込まれている。
【００１８】
図２に示すように、ディスク２がディスクトレイ１上にセットされたときに、ラック１４が一方側に移動されて、移動溝１５ａに嵌め込まれた移動軸１６が斜め上向きに移動されることによって、ピックアップ本体８上の突起軸１０上の他方のローラ９が斜め上向きに移動される。図１（ａ）に示すように、この他方のローラ９と一方のローラ６の間の溝部にディスク２の周縁が回転可能状態て挟まれる。このことによって、ディスク２の反りをこれらのローラ６、９の周溝で抑制するようにした。尚、互いのローラ６、９は反割り状態に形成されていて、合わさったときに一つのローラ形状となるようになっている。
【００１９】
従って、この第１実施形態によれば、ディスクトレー１の上側に置かれターンテーブル３とクランパ４で回転可能に保持されるディスク２にラベル等を貼り付けた状態である場合でも、クランパ４の本体部５に配置された一方側のローラ６とピックアップ本体８の突起軸１０上の他方のローラ９との間でディスク２を回転可能状態で挟むことによって、ディスク２にラベル等を貼った際に温度により反りが生じたときに、このディスク２の反りを抑制することができて、スムーズな再生を行なうことができる。
【００２０】
図３は、第２実施形態のディスク装置におけるディスクの反り抑制構造におけるディスクの反り抑制を解除した状態を示す概略正面図、図４は同装置におけるディスクの反りを抑制している状態の概略正面図である。尚、上記第１実施形態と同一部材、同一箇所には同一符号を付して説明を省略する。
【００２１】
この第２実施形態のディスク装置におけるディスクの反り抑制構造は、図３、図４に示すように、ローラ１７が、ほぼ中央部を回転可能に枢着され折曲形成された板状体１８の先端に取付けられている。この板状体１８の下端は、ガイド板状体１９には、駆動モータ１１で駆動されるギヤ群１２のピニオン１３に噛み合うラック１４が長手方向に設けられている。
【００２２】
このガイド板状体１９の水平向きの移動によって、上下向きの溝部１９ａに沿って板状体１８の下端の軸部１８ａが斜め上向きに回動し、この板状体１８の回動でこの板状体１８の先端のローラ１７の周溝がディスク２の周縁に回動可能に嵌め合わされることによって、ディスク２の反りを抑制するようにしている。
【００２３】
従って、この第２実施形態によれば、板状体１８の先端のローラ１７がガイド板状体１９の斜め斜め上下向きの溝部１９ａに沿って斜め上向きに回動して、このローラ１７の周溝がディスク２の周縁に回転可能に嵌め合わされるので、ディスク２にラベル等を貼った際に温度により反りが生じたときに、このディスク２の反りを抑制することができて、スムーズな再生を行なうことができる。
【図面の簡単な説明】
【００２４】
【図１】本発明の第１実施形態のディスク装置におけるディスクの反り抑制構造を示し、（ａ）はそのディスクの反りを抑制している状態を示す概略断面正面図、（ｂ）はそのローラ移動機構の概略側面図である。
【図２】同装置のディスクの反り抑制を解除した状態の概略断面正面図である。
【図３】第２実施形態のディスク装置におけるディスクの反り抑制構造におけるディスクの反り抑制を解除した状態を示す概略正面図である。
【図４】同装置におけるディスクの反りを抑制している状態の概略正面図である。
【図５】従来のディスク装置部分正面図である。
【図６】従来の光ディスククランプ機構を示し、（ａ）はその正面図、（ｂ）はその平面図である。
【図７】従来の光ディスク装置の概略断面図である。
【符号の説明】
【００２５】
１        ディスクトレー
２        ディスク
３        ターンテーブル
４        クランパ
５        本体部
６        一方のローラ
７        駆動モータ
８        ピックアップ本体
９        他方のローラ
１０      突起軸
１１      他の駆動モータ
１２      ギヤ群
１３      ピニオン
１４      ラック
１５      ガイド板状体
１５ａ    溝部
１６      移動軸
１７      ローラ
１８      板状体
１８ａ    軸部
１９      ガイド板状体
１９ａ    溝部
【図１】
2005327356.tif 000003
【図２】
2005327356.tif 000004
【図３】
2005327356.tif 000005
【図４】
2005327356.tif 000006
【図５】
2005327356.tif 000007
【図６】
2005327356.tif 000008
【図７】
2005327356.tif 000009